(57)【要約】【課題】  道路と歩道との間に設けた花壇や植栽帯に、地被類Ｙを植栽した複数の植栽容器を交換可能に埋設する。【解決手段】地被類Ｙを植栽する栽培土壌Ｘを充填可能にした開口部３を上方に有した有底状の袋本体２と、前記開口部３の上縁長手方向両側設けた袋本体２を持ち上げ搬送するための運搬棒３８を挿通する一対の搬送筒部５、５と、前記袋本体２の内部に取付けた少なくとも１以上の上下補強帯片１２、１７と、前記開口部３の外壁四面に開口部の形態を保持するための側面補強板７と端面補強板１０をそれぞれ収容した側面支持部６および短面支持部９と、前記袋本体２の開口部３の全体を着脱可能に覆う遮光性を有する防草シート３０とからなることを特徴とする。【選択図】  図３
2017221137.tif 000002
【特許請求の範囲】
【請求項１】
地被類（Ｙ）を植栽する栽培土壌（Ｘ）を充填可能にした開口部（３）を上方に有した有底状の袋本体（２）と、
前記開口部（３）の上縁長手方向両側に設けた袋本体（２）を持ち上げ搬送するための運搬棒（３８）を挿通する一対の搬送筒部（５）と、
前記袋本体（２）の内部に取付けた少なくとも１以上の上下補強帯片（１２、１７）と、
前記袋本体（２）の開口部（３）の全体を着脱可能に覆う遮光性を有する防草シート（３０）とからなることを特徴とする埋設型植栽容器。
【請求項２】
前記袋本体（２）は、前記開口部（３）の外壁四面に、該開口部の形態を保持するための側面補強板（７）と端面補強板（１０）を収容する側面支持部（６）と短面支持部（９）を設け、前記側面支持部（６）は、袋本体（２）を持ち上げ搬送するための運搬棒（３８）を挿通可能にしてなることを特徴とする前記請求項１記載の埋設型植栽容器。
【請求項３】
前記上下補強帯片（１２、１７）は、それぞれ長尺で並行に位置した縫代部（１３、１８）の間に梯子状の支持部（１４、１９）と窓部（１５、２０）をそれぞれ一体に形成し、上下補強帯片（１２、１７）の縫代部（１３、１８）を前記袋本体（２）の内壁面で上下二段に縫着してなることを特徴とする前記請求項１記載の埋設型植栽容器。
【請求項４】
前記上下補強帯片（１２、１７）は、上補強帯片（１２）の窓部（１５）の中心位置に、下補強帯片（１７）の支持部（１９）が位置するように、互いの窓部（１５、２０）の位置をずらして上下二段に縫着してなることを特徴とする前記請求項１または３記載の埋設型植栽容器。
【請求項５】
前記袋本体（２）は、開口部（３）の内縁長手方向に長尺なシート受部（２２）を設け、該シート受部の上面にシート接着部（２３）を取付け、前記開口部（３）の短尺外壁面に設けた短面支持部（９）の下側に短面接着部（２５）をそれぞれ設けてなることを特徴とする前記請求項１記載の埋設型植栽容器。
【請求項６】
前記袋本体（２）および上下補強帯片（１２、１７）は、それぞれ難燃性、通気性、透水性を有するが雑草の根を通さない合成繊維材で形成した不織布、または耐蝕性を有する天然繊維材よりなる強度性を有する布材からなることを特徴とする前記請求項１または３記載の埋設型植栽容器。
【請求項７】
前記防草シート（３０）は、合成樹脂シート材からなる遮光性フィルム地からなり、裏面の長手方向両側に長尺接着部（３３）、幅方向両端に短尺接着部（３５）をそれぞれ取付け、前記袋本体（２）の開口部（３）に設けたシート接着部（２３）および開口部（３）の短尺外壁面に取付けた短面接着部（２５）とそれぞれ着脱可能に接合してなることを特徴とする前記請求項１記載の埋設型植栽容器。
【請求項８】
前記防草シート（３０）は、前記袋本体（２）に植栽する地被類（Ｙ）の種類または本数によってそれぞれ相違する位置に複数の植栽孔（３２）を設けてなることを特徴とする前記請求項１または７記載の埋設型植栽容器。
【発明の詳細な説明】
【技術分野】
【０００１】
本発明は、道路と歩道との境界部分、道路の中央分離帯または公園などの緑化を促進するために設けられている植栽帯（花壇）に設置する埋設型植栽容器に関する。
【背景技術】
【０００２】
従来、道路と歩道との境界部分、中央分離帯または公園などに設けた緑化を促進するための植栽帯（花壇）は、矩形、円形または楕円形など、植栽する草木などにより、所定の形状に区画された部分の土を耕して低木または地被類（草花）などを直接植えている。
【０００３】
特に、道路と歩道との境界部分や道路の中央分離帯に設けた植栽帯に地被類や苗木を植栽する場合、作業の安全性を図るため長時間道路を遮断したり、通路を規制したりしなければならず、交通渋滞の原因となり、また、人手と手間がかかるなどさまざまな問題点を有している。
【０００４】
また、前記植栽帯に使用する土壌は、多くの雑草の種子や害虫の卵や幼虫などが混在しており、さらには、風や小鳥などにより雑草の種子が飛来し、土壌に混在する場合がある。これらの雑草の種子は、植栽帯に植えた地被類より生育が早く、雑草が茂ると地被類Ｙの生育を阻害し、景観を損なうばかりか歩行者や自動車の運転者の見通しが損なわれ交通安全上も好ましくない。そのため、定期的に草木の刈込や雑草を除去する作業が必要であると共に、植栽帯に植えた地被類への灌水を定期的に行う必要がある。そのための作業コストがかかり大変不経済であった。
【０００５】
そこで、道路と歩道との境界部分に設けた花壇に雑草が生えるのを防止するため、花壇を構成する縁石の内側に庇部分を形成して光が花壇の端に差し込まないようにして雑草の発生または育成するのを防止することが知られている（例えば、特許文献１）。
【０００６】
一方、地被類や苗木を育成するには、前記花壇の他、プランターやポットが多く使用されている。このプランターやポットは、手軽で持ち運びが可能であることから、路肩の縁石に設置してあるものが広く知られている（例えば、特許文献２）。
【先行技術文献】
【特許文献】
【０００７】
【特許文献１】特開２００５−３６６１８号
【特許文献２】実開平６−６８４２３号
【発明の概要】
【発明が解決しようとする課題】
【０００８】
しかし、特許文献１に示すウイードストッパーは、縁石の淵の部分に雑草が生えるのを防止することはできるが、地被類を植えてある中央部分は、何ら手当がされていないため雑草が生えてくるのを防止することができない。そのため、雑草の除去作業を定期的に行う必要があることからコストもかかり大変不経済であった。
【０００９】
また、特許文献２に示すプランターは、前記花壇と同様に上方が開口しているため雑草が生えるのを防止することが困難であり、特に、プランターを舗装道路と歩道との境界部分の歩道側に設置した場合、風や小鳥により運ばれる飛来種子が多くなるため、雑草の生育が早く除草作業が大変であった。さらに、プランターは、縁石に嵌め込まれているだけであるため、持ち運びが可能であることから盗難のおそれもあるなど多くの問題点を有している。
【００１０】
そこで本発明は、軽量で持ち運びに便利な植栽容器に土壌を充填して地被類（草花）を植栽し、地被類が定着した状態まで生育させてから道路と歩道との境界部分、中央分離帯または公園などに設けた植栽帯に植栽容器ごと埋設することで、植栽作業の軽減と効率化を図り、また、植栽容器にカバーを取付けることにより、雑草の種子が飛来して雑草が生えるのを防止し、除草や花殻摘みなどのメンテナンス作業を軽減し、さらには、季節ごとまたは定期的に植栽容器ごと入れ替えを可能にすることにより道路景観の美化と環境浄化を図ることを目的とするものである。
【課題を解決するための手段】
【００１１】
上記課題を解決するため本発明は、地被類Ｙを植栽する栽培土壌Ｘを充填可能にした開口部３を上方に有した有底状の袋本体２と、前記開口部３の上縁長手方向両側に設けた袋本体２を持ち上げ搬送するための運搬棒３８を挿通する一対の搬送筒部５、５と、前記袋本体２の内部に取付ける少なくとも１以上の上下補強帯片１２、１７と、前記袋本体２の開口部３の全体を着脱可能に覆う遮光性を有する防草シート３０とからなることを特徴とする。また、前記袋本体２は、前記開口部３の外壁四面に、該開口部の形態を保持するための側面補強板７と短面補強板１０を収容する側面支持部６と短面支持部９を設け、前記側面支持部６は、袋本体２を持ち上げ搬送するための運搬棒３８を挿通可能にしてなることを特徴とする。さらに、前記上下補強帯片１２、１７は、それぞれ長尺で並行に位置した縫代部１３、１８の間に梯子状の支持部１４、１９と窓部１５、２０をそれぞれ一体に形成し、上下補強帯片１２、１７の縫代部１３、１８を前記袋本体２の内壁面で上下二段に縫着してなることを特徴とする。さらにはまた、前記上下補強帯片１２、１７は、上補強帯片１２の窓部１５の中心位置に、下補強帯片１７の支持部１９が位置するように、互いの窓部１５、２０の位置をずらして上下二段に縫着してなることを特徴とする。また、前記袋本体２は、開口部３の内縁長手方向両側に長尺なシート受部２２を設け、該シート受部の上面にシート接着部２３を取付け、前記開口部３の短尺外壁面に設けた短面支持部９の下側に短面接着部２５をそれぞれ設けてなることを特徴とする。さらに、前記袋本体２および上下補強帯片１２、１７は、それぞれ難燃性、通気性、透水性を有するが雑草の根を通さない合成繊維材で形成した不織布、または耐蝕性を有する天然繊維材よりなる強度性を有する布材からなることを特徴とする。さらにはまた、前記防草シート３０は、合成樹脂シート材からなる遮光性フィルム地からなり、裏面の長手方向両側に長尺接着部３３、幅方向両端に短尺接着部３５をそれぞれ取付け、前記袋本体２の開口部３に設けたシート接着部２３および短尺外壁面に取付けた短面接着部２５とそれぞれ着脱可能に接合してなることを特徴とする。また、前記防草シート３０は、前記袋本体２に植栽する地被類Ｙの種類または本数によってそれぞれ相違する位置に複数の植栽孔３２を設けてなることを特徴とする。
【００１２】
したがって、植栽容器１は、丈夫で通気性と透水性を有するが雑草の根を通さない合成繊維材からなる布地により袋本体２と上下補強帯片１２、１７を形成したことにより、軽量で不使用時には折り畳んで収納可能に形成してある。また、植栽容器１は、開口部３の外壁面に側面補強板７と短面補強板１０を収容する側面支持部６と短面支持部９を設けて開口部３の形態を保持し、内壁面の上下二段に上下補強帯片１２、１７を縫着して形成したことにより、袋本体２の変形や衝撃などによる破損を防止している。さらに、植栽容器１の開口部３に防草シート３０を取付けることにより、雑草の種子が飛来して雑草が生えるのを防止し、除草や花殻摘みなどのメンテナンス作業を軽減することができる。さらに、開口部３の長手方向に設けた搬送筒部５に運搬棒３８を挿入し、該運搬棒の両端を作業者が持ち上げて移動可能にしたことにより、植栽容器１の移動を容易にさせて作業効率の向上を図ることができる。
【図面の簡単な説明】
【００１３】
【図１】道路と歩道との境界に設けた植栽帯に植栽容器を埋設した使用状態を示す斜視図である。
【図２】植栽容器を埋設した状態の断面図である。
【図３】本発明に係る植栽容器の斜視図である。
【図４】袋本体の正面図である。
【図５】図４のＡ―Ａ線断面図である。
【図６】袋本体の中央横断面図である。
【図７】図４の要部拡大断面図である。
【図８】上補強帯片の斜視図である。
【図９】下補強帯片の斜視図である。
【図１０】上下補強支持片を重ねた状態の平面図である。
【図１１】袋本体の搬送筒部に運搬棒を挿通して移動する状態を示す斜視図である。
【図１２】袋本体の側面支持部に運搬棒を挿通して搬送する状態を示す斜視図である。
【図１３】植栽容器を植栽帯に配置する状態を示す平面図である。
【発明を実施するための形態】
【００１４】
本発明の実施の形態を図面により説明すると、図１は道路と歩道との境界に設けた植栽帯に植栽容器を埋設した使用状態を示す斜視図、図２は植栽容器を埋設した状態の断面図、図３は本発明に係る植栽容器の斜視図、図４は袋本体の正面図、図５は図４のＡ―Ａ線断面図、図６は袋本体の中央横断面図、図７は図４の要部拡大断面図、図８は上補強帯片の斜視図、図９は下補強帯片の斜視図である。
【００１５】
本発明に係る植栽容器１は、車道の縁石４６と歩道４７との境界部分、道路の中央分離帯または公園などの緑化を促進するために設けられている植栽帯（花壇）４５に埋設して設置するもので、地被類（草花）Ｙを植栽する栽培土壌Ｘを充填可能にした開口部３を上方に有した有底状の袋本体２と、前記開口部３の上縁長手方向両側に設けた袋本体２を持ち上げて搬送するための運搬棒３８を挿通する一対の搬送筒部５、５と、前記袋本体２の開口部３全体に着脱可能に取付ける遮光性を有する防草シート３０とにより構成してある。
【００１６】
前記袋本体２は、図３〜７に示すごとく、全体を通気性と透水性を有するが雑草の根は通さない０．４〜０．６ｍｍの厚さの丈夫な布地材により形成し、該袋本体の上方に開口部３を設けてある。この袋本体２を構成する布地は、合成繊維材または天然繊維材により形成した不織布または布地などからなり、例えば、米国デュポン社製の防草シートである登録商標「ザバーン」が好ましい。
【００１７】
前記袋本体２は、歩道または中央分離体に設けた植栽帯４５の基準に合わせて形成され、例えば、横幅を（Ｗ）２００〜５００ｍｍ、高さを（Ｄ）２００〜３００ｍｍ、長さ（Ｌ）８００〜１２００ｍｍの矩形に形成してある。標準サイズは、Ｗ３００×Ｄ２５０×Ｌ１０００ｍｍの植栽容器１を使用する。
【００１８】
前記袋本体２の開口部３の長手方向両側に設けた搬送筒部５、５は、図３，５に示すごとく、袋本体２を持ち上げて搬送するための運搬棒３８が挿通可能な筒状に形成し、搬送筒部５の下縁を開口部３の上縁と一体に形成し、搬送筒部５に運搬棒３８を挿通して持ち上げたときに、袋本体２の側壁面と搬送筒部５が垂直方向に吊下げ状態にすることにより、移動作業を容易にすることができる。
【００１９】
前記袋本体２は、開口部３の外周壁面に側面補強板７と端面補強板１０を収容する側面支持部６と短面支持部９を設けて開口部３の形態を保持し、内部の水平方向に少なくとも１以上、好ましくは、二枚の上下補強帯片１２、１７を上下二段に取付けることにより、袋本体２内に植栽土壌Ｘを充填したときの袋本体２が周方向への膨出変形を防止し、また、袋本体２の移動時や搬送時の衝撃で破損するのを防止することができる。
【００２０】
前記側面支持部６と短面支持部９に収容した側面補強板７と短面補強板１０は、軽量で強度性を有する硬質合成樹脂板からなり、短面支持部９に収容した短面補強板１０は、袋本体２の短尺外壁面にリベットまたはボルトナットなどの固定具で取付け、側面支持部６に収容した側面補強板７は着脱可能に取付けてある。
【００２１】
前記側面支持部６は、運搬棒３８を挿通可能に形成したことにより、植栽容器１を移動させるための搬送用として使用することができる。搬送用として使用する場合は、前記側面支持部６に収容した側面補強板７を抜き、運搬棒３８を挿入して植栽容器１を移動させることができる。
【００２２】
前記上下補強帯片１２、１７は、図６、８〜１０に示すごとく、前記袋本体２と同一素材からなり、それぞれ長尺で並行に位置した縫代部１３、１８の間に梯子状に複数の支持部１４、１９を一定間隔で設け、各支持部と支持部との間に窓部１５、２０を設けてそれぞれ一体に形成してある。
【００２３】
前記上下補強帯片１２、１７の縫着位置は、図１０に示すごとく、上補強帯片１２の窓部１５の中心に下補強帯片１７の支持部１９が位置するように上下補強帯片１２、１７の取付け位置をずらして取付けてある。したがって、袋本体２内に充填した植栽土壌Ｘの膨出方向が偏るのを防止することができると共に、内部に充填した植栽土壌Ｘの偏りを防止することができる。また、袋本体２を持ち上げたとき、または、移動時の衝撃や偏りなどで袋本体２の側壁や底面が破れたりするのを防止することができるので安全に搬送することができる。
【００２４】
前記上下補強帯片１２、１７を構成する縫代部や支持部の大きさ、および窓部の広さなどは、袋本体の大きさや充填する植栽土壌の量などにより変形可能で、例えば、下補強帯片１７の縫代部や支持部または窓部を、上補強帯片１２より小さくすることができるのは勿論である。
【００２５】
前記袋本体２は、図３、５に示すごとく、開口部３の内縁長手方向両側に長尺なシート受部２２を形成し、該シート受部の上面にシート接着部２３を取付け、前記開口部３の短尺外壁面に設けた短面支持部９の下側に短面接着部２５をそれぞれ設けてある。
【００２６】
防草シート３０は、図３、１１に示すごとく、前記植栽容器１の開口部３に被せる遮光性を有する厚さ０．２〜０．４ｍｍの合成樹脂フィルム地からなり、植栽容器１の開口部３全体を覆うことにより、飛来した雑草の種子が土壌内で発芽するのを防止することができると共に土壌中に含まれる水分の蒸発を減少させることができる。
【００２７】
前記防草シート３０は、裏面の長手方向両側に長尺接着部３３と、長手方向両端に短尺接着部３５をそれぞれ設け、前記袋本体２の開口部３に設けたシート接着部２３および端面接着部２５とをそれぞれ着脱可能に取付けて開口部３全体を覆うことにより、防草シート３０が風で捲れ上がったり、飛ばされるのを防止することができる。前記袋本体２の開口部３に設けたシート接着部２３、端面接着部２５および防草シート３０の両端に取付けた長尺接着部３３と短尺接着部３５は、それぞれ周知の面ファスナにより形成してある。  
【００２８】
前記植栽容器１の開口部３に被せた防草シート３０の表面には、地被類Ｙを植えるための植栽孔３２を適宜間隔で複数個所に設けてある。この防草シート３０に設けた植栽孔３２から苗を植え付けることにより、雑草の種子が定着するのを防止すると共に土壌の水分が蒸発するのを防止することができる。
【００２９】
また、前記植栽孔３２は、植栽する地被類Ｙの種類や本数により、孔の数や位置、さらには大きさをそれぞれパターン化して設けることにより、同一種の地被類Ｙの植栽形状をほぼ同じ状態に形成することができるので、植栽帯４５に植栽容器１を並べたとき一定の形状に植栽帯４５を容易に形成することができる。
【００３０】
前記植栽容器１に充填する植栽土壌Ｘは、あらかじめ配合する黒土や培養土または腐葉土などの土壌から、雑草の種や害虫の卵や幼虫などを除去し、配合肥料を混ぜた消毒済みのものを使用し、植栽する地被類Ｙによって肥料の配合を変化させてある。また、前記地被類Ｙは、周知の草花からなり、例えば、アガパンサス、オタフクナンテン、タマリュウ、ガザニアンクイーンなどの劣悪な環境に強い植物を植栽する。
【００３１】
前記植栽容器１を使用して植栽帯４５に植栽する工程は、第１に袋本体２に植栽土壌を充填し、第２に表面開口部３を防草シート３０で覆い、第３に任意の地被類Ｙを植栽して根付くまで養生させた後、第４に植栽帯４５に適応する任意地被類Ｙを植栽した複数の植栽容器１を所定の植栽帯４５まで搬送し、第５に該植栽帯に複数の植栽容器１を任意形状に組み合わせて埋設する。したがって、雑草の種子が飛来して雑草が生えるのを防止でき、除草や花殻摘みなどのメンテナンス作業を軽減することができ、植栽容器１の搬送を容易にして作業効率を向上させることにより、作業現場の道路規制が短時間で済み交通渋滞を防止することができる。
【００３２】
以下、本発明の実施の形態の作用について説明すると、植栽容器１は、用途によってその形状を自由に形成することはできるが、道路又は歩道に設けた植栽帯４５の規格に合致したＷ３００×Ｄ２５０×Ｌ１０００ｍｍに形成した植栽容器１を使用することにより、簡単に植栽帯を形成することができる。また、植栽容器１を構成する袋本体２は、通気性と透水性を有するが雑草の根を通さない丈夫な布地材で形成してあるため定型性を有しないことから、不使用時には折り畳んでコンパクトに収納することができ、また、軽量で持ち運びに便利である。
【００３３】
前記植栽容器１は、図１１に示すごとく、開口部３の長手方向に設けた搬送筒部５に運搬棒３８を挿入し、該運搬棒の両端を作業者が持ち上げて移動可能に形成してある。この植栽容器１の移動に運搬棒３８を使用することにより、土壌が充填された重い植栽容器１を容易に持ち上げて搬送することができ、さらには、植栽容器１と垂直方向に吊下げた状態にすることにより安定して植栽容器１を移動させることができる。
【００３４】
植栽容器１を持ち上げて搬送するための搬送筒部５は、土壌の重量で接合部分が破れたり切れたりするのを防止するため、袋本体２と一体に縫着して形成し、袋本体２を持ち上げたときに側壁面と搬送筒部が垂直方向に吊下げ可能に形成して接合部分全体で支持してある。
【００３５】
図１２に示すごとく、袋本体２の側壁に設けた側面支持部６を使用して搬送する場合は、側面支持部６に収容してある側面補強板７を引き抜き、運搬棒３８を挿通することにより、搬送手段として使用することができる。この側面支持部６に運搬棒３８を挿通しての使用は、植栽容器１の揺動を防止して搬送することができるので、植栽容器１をトラックに載せるとき、または植栽帯に植えるために移動するときなど、植栽容器１の揺動を防止して移動させるときに安定して搬送することができる。
【００３６】
前記袋本体２は、開口部３の外周壁面に側面補強板７と端面補強板１０を収容する側面支持部６と短面支持部９を設けて開口部３の形態を保持し、内部の水平方向に少なくとも１以上、好ましくは、二枚の上下補強帯片１２、１７を二段に取付けることにより、袋本体２内に植栽土壌Ｘを充填したときの袋本体２が周方向への膨出変形を防止し、また、袋本体２の移動時や搬送時の衝撃で破損するのを防止することができる。前記補強帯片は、三段に取付けてもよいことは勿論である。
【００３７】
さらに、植栽容器１は、袋本体２の開口部３全体に遮光性を有する防草シート３０を着脱可能に取付けて覆ってある。植栽容器１の開口部３全体を覆うことにより、飛来した雑草の種子が土壌内で発芽するのを防止することができると共に土壌中に含まれる水分の蒸発を減少させることができる。
【００３８】
防草シート３０の着脱は、袋本体２の開口部３の内縁長手方向に設けたシート受部２２に取付けたシート接着部２３および、前記開口部３の短尺外壁面に設けた短面接着部２５と、防草シート３０の裏面に取付けた長尺接着部３３および短尺接着部３５とを着脱可能に接着したことにより、防草シート２０が風で捲れ上がったり、飛ばされるのを防止することができる。
【００３９】
植栽容器１に地被類Ｙを植栽する場合、植栽計画に基づき現場ではなく別のところ（園芸場）で季節ごとに相違する各種地被類を植栽容器１に直接植栽する。植栽した地被類は、完全に根付いて生育した最適な状態まで育成し、植栽容器１ごと移植現場に搬送してそのまま直接植栽帯４５に埋設することができるので地被類Ｙを植え替える手間がなく、根が傷まないので地被類Ｙを長持ちさせて立ち枯れなどを防止することができる。
【００４０】
植栽容器１への植栽作業は、所定量の植栽土壌Ｘを袋本体２内に充填した後、植栽計画に基づいた所定の地被類Ｙを植栽する。また、袋本体２に充填する植栽土壌Ｘは、開口部３から各補強帯片１２、１７の窓部１５、２０の間を通過して内部全体に均等に隙間なく充填することができる。
【００４１】
また、前記袋本体２は、布地材で形成したことにより定型性を有しないため、植栽時に植栽帯４５に障害物、例えば、水道管やガス管などがあった場合、袋本体２の形状を変形させることができるので、障害物を避けて埋設することができる。そのため、埋設個所を変更するなどの無駄な工事費用が不要となるため大変経済的である。
【００４２】
植栽帯４５に埋設した植栽容器１は、前記したごとく、植栽土壌Ｘを殺菌して雑草の種子や害虫の卵などを除去したこと、および、開口部３に防草シート２０を被せたことにより、風で飛ばされる雑草の種子や、野鳥の糞に混じった雑草の種子が落ちるなどして雑草が生えるのを防止することができる。したがって、植栽容器１を植栽帯４５に埋設しても雑草が生えにくいのでメンテナンスの回数が少なくてすみ、維持管理コストを軽減することができる。
【００４３】
前記植栽容器１は、あらかじめ多数の植栽容器１に季節に合わせた地被類Ｙを計画的に植栽しておき、図１３に示すごとく、植栽帯４５に種類の相違する地被類Ｙを植えた植栽容器１を組み合わせて並べることにより植栽することができるので、人件費や維持管理費を軽減することができるので大変経済的である。さらには、季節ごとに植栽容器１ごと交換、または、枯れた地被類Ｙがある植栽容器１のみを交換することができるので、道路景観の美化と環境浄化を図ることができる。
【００４４】
道路の中央分離帯に設けた植栽帯４５に植栽容器１を埋設する作業は、植栽容器１を埋設するための花壇スペースをあらかじめ掘っておく。次いで、トラックなどで現場に運んだ植栽容器１を前記花壇スペースに並べて埋設するだけの簡単な作業で植栽作業を終了することができる。したがって、作業時間を短縮することができるので、道路の規制時間を短くすることができ、交通渋滞を防止することができる。
【符号の説明】
【００４５】
１      植栽容器
２      袋本体
３      開口部
５      搬送筒部
６      側面支持部
７      側面補強板
９      短面支持部
１０    短面補強板
１２    上補強帯片
１３    縫代部
１４    支持部
１５    窓部
１７    下補強帯片
１８    縫代部
１９    支持部
２０    窓部
２２    シート受部
２３    シート接着部
２５    端面接着部
３０    防草シート
３２    植栽孔
３３    長尺接着部
３５    短尺接着部
３８    運搬棒
４５    植栽帯
４６    縁石
４７    歩道スペース
Ｘ      植栽土壌
Ｙ      地被類
【図１】
2017221137.tif 000003
【図２】
2017221137.tif 000004
【図３】
2017221137.tif 000005
【図４】
2017221137.tif 000006
【図５】
2017221137.tif 000007
【図６】
2017221137.tif 000008
【図７】
2017221137.tif 000009
【図８】
2017221137.tif 000010
【図９】
2017221137.tif 000011
【図１０】
2017221137.tif 000012
【図１１】
2017221137.tif 000013
【図１２】
2017221137.tif 000014
【図１３】
2017221137.tif 000015